(57)【要約】【課題】導水管の埋設工程において、推進埋設させると同時に導水管も挿入することを可能とし、かつ、簡易な構造により推進工程における駆動伝達を可能にする導水管推進先導体を提供すること、および、この先導体による暗渠排水管の埋設工法を提供する。【解決手段】導水管推進先導体１は、先導体本体部１１と切欠部１２とを備え、切欠部は二つの端縁を有し、一方端縁を駆動伝達部１２１とし、他方端縁を駆動解放案内部１２２とする。暗渠排水管埋設工法は、外管３，４を推進埋設装置５の駆動部に装着し、多数の水抜き孔２１を穿設してなる導水管２の先端に導水管推進先導体を接続し、導水管を外管の内部に挿入するとともに、先導体の切欠部を外管先端の突起部３１に係合させ、外管を回転させつつ推進させて外管および導水管を地中に推進し、所定長の推進終了後に外管を後方に引き抜くことにより、導水管推進先導体および導水管のみを地中に埋設させる。【選択図】  図１
2010053518.tif 000002
【特許請求の範囲】
【請求項１】
導水管を地中に埋設させるために使用される導水管推進先導体であって、上記導水管の先端に接続される先導体本体部と、この先導体本体部の後部端縁を切り欠いて構成された切欠部とを備え、上記切欠部は、少なくとも二つの端縁を有し、一方端縁を駆動伝達部とし、他方端縁を駆動解放案内部とする切欠部であることを特徴とする導水管推進先導体。
【請求項２】
導水管を地中に埋設させるために該導水管の先端に設けられ、かつ、推進駆動および回転駆動の伝達を受けて推進する導水管推進先導体であって、上記導水管の先端の挿入を許容しつつ該導水管に接続される有底円筒状の先導体本体部と、この先導体本体部の後部端縁を複数に区分するとともに該各区分の端縁をそれぞれ切り欠いて構成された複数の切欠部とを備え、上記複数の切欠部は、二つの端縁を有し、かつ、それぞれが合同な略Ｖ字形に切り欠かれた切欠部であり、それぞれの切欠部の所定側端縁が推進駆動および回転駆動の伝達を受ける駆動伝達部であり、残りの端縁が推進駆動の伝達を受ける推進駆動伝達部であるとともに、この推進駆動伝達部は、上記回転駆動伝達部に伝達される回転駆動を解放する駆動解放案内部であることを特徴とする導水管推進先導体。
【請求項３】
導水管を地中に埋設させるために該導水管の先端に設けられ、かつ、推進駆動および回転駆動の伝達を受けて推進する導水管推進先導体であって、上記導水管の先端の挿入を許容しつつ該導水管に接続される有底円筒状の先導体本体部と、この先導体本体部の後部端縁を四つに区分するとともに該各区分の端縁をそれぞれ切り欠いて構成された四つの切欠部とを備え、上記四つの切欠部は、二つの端縁を有し、かつ、それぞれが合同な略Ｖ字形に切り欠かれた切欠部であり、それぞれの切欠部の所定側端縁が推進駆動および回転駆動の伝達を受ける駆動伝達部であり、残りの端縁が推進駆動の伝達を受ける推進駆動伝達部であるとともに、この推進駆動伝達部は、上記回転駆動伝達部に伝達される回転駆動を解放する駆動解放案内部であることを特徴とする導水管推進先導体。
【請求項４】
導水管を地中に埋設させるために該導水管の先端に設けられ、かつ、推進駆動および回転駆動の伝達を受けて推進する導水管推進先導体であって、上記導水管の先端の挿入を許容しつつ該導水管に接続される有底円筒状の先導体本体部と、この先導体本体部の後部端縁を複数に区分するとともに該各区分の端縁をそれぞれ切り欠いて構成された複数の切欠部とを備え、上記複数の切欠部は、二つの端縁を有し、かつ、それぞれが合同な略Ｖ字形に切り欠かれた切欠部であり、それぞれの切欠部の所定側端縁が回転駆動の伝達を受ける回転駆動伝達部であり、残りの端縁が推進駆動の伝達を受ける推進駆動伝達部であるとともに、この推進駆動伝達部は、上記回転駆動伝達部に伝達される回転駆動を解放する駆動解放案内部であることを特徴とする導水管推進先導体。
【請求項５】
導水管を地中に埋設させるために該導水管の先端に設けられ、かつ、推進駆動および回転駆動の伝達を受けて推進する導水管推進先導体であって、上記導水管の先端の挿入を許容しつつ該導水管に接続される有底円筒状の先導体本体部と、この先導体本体部の後部端縁を四つに区分するとともに該各区分の端縁をそれぞれ切り欠いて構成された四つの切欠部とを備え、上記四つの切欠部は、二つの端縁を有し、かつ、それぞれが合同な略Ｖ字形に切り欠かれた切欠部であり、それぞれの切欠部の所定側端縁が回転駆動の伝達を受ける回転駆動伝達部であり、残りの端縁が推進駆動の伝達を受ける推進駆動伝達部であるとともに、この推進駆動伝達部は、上記回転駆動伝達部に伝達される回転駆動を解放する駆動解放案内部であることを特徴とする導水管推進先導体。
【請求項６】
前記駆動伝達部は、先導体の軸心に対して平行方向に端縁を有する駆動伝達部であることを特徴とする請求項１記載の導水管推進先導体。
【請求項７】
前記駆動解放案内部は、前記駆動伝達部に対して鋭角方向に端縁を有する駆動解放案内部であることを特徴とする請求項１ないし３のいずれかに記載の導水管推進先導体。
【請求項８】
前記回転駆動伝達部は、先導体の軸心に対して平行方向に端縁を有する回転駆動伝達部であることを特徴とする請求項４または５記載の導水管推進先導体。
【請求項９】
前記駆動解放案内部は、前記回転駆動伝達部に対して鋭角方向に端縁を有する駆動解放案内部であることを特徴とする請求項４または５記載の導水管推進先導体。
【請求項１０】
請求項１ないし９のいずれかに記載の導水管推進先導体を使用する暗渠排水管埋設工法であって、前記導水管を包囲しつつ配置でき、かつ、先端に前記導水管推進先導体の切欠部に係合可能な突起部を備えた外管を、回転駆動力および推進駆動力を発生させる推進埋設装置の駆動部に装着し、多数の水抜き孔を穿設してなる導水管の先端に導水管推進先導体を接続し、この導水管を上記外管の内部に挿入するとともに、上記導水管推進先導体の切欠部を上記外管先端の突起部に係合させ、上記外管を回転させつつ推進させて該外管および導水管を地中に推進し、所定長の推進終了後に外管を後方に引き抜くことにより、上記導水管推進先導体および導水管のみを地中に埋設してなることを特徴とする暗渠排水管埋設工法。
【請求項１１】
請求項１ないし９のいずれかに記載の導水管推進先導体を使用する暗渠排水管埋設工法であって、前記導水管を包囲しつつ配置でき、かつ、先端に前記導水管推進先導体の切欠部に係合可能な突起部を備えた外管を、回転駆動力および推進駆動力を発生させる推進埋設装置の駆動部に装着し、多数の水抜き孔を穿設してなる導水管の先端に導水管推進先導体を接続するとともに、導水管のほぼ全域に合成樹脂製のフィルタ材を封入し、上記導水管を上記外管の内部に挿入するとともに、上記導水管推進先導体の切欠部を上記外管先端の突起部に係合させ、上記外管を回転させつつ推進させて該外管および導水管を地中に推進し、所定長の推進終了後に外管を後方に引き抜くことにより、上記導水管推進先導体および導水管のみを地中に埋設し、導水管の後端開口部に開閉蓋を装着してなることを特徴とする暗渠排水管埋設工法。
【請求項１２】
請求項１ないし９のいずれかに記載の導水管推進先導体を使用するものであって、導水管の先端への接続は、螺着または固着であることを特徴とする導水管推進先導体。
【請求項１３】
請求項１０または１１記載の導水管推進先導体を使用するものであって、導水管の先端への接続は、螺着または固着であることを特徴とする暗渠排水管埋設工法。
【発明の詳細な説明】
【技術分野】
【０００１】
本発明は、導水管を地中に埋設させるために使用されるものであって、地中で導水管を先導させるための先導体に関するものである。
【背景技術】
【０００２】
近年、河川では、市街化に伴う改修の結果、河岸が鋼矢板やＰＣ矢板等の不透水の壁で構成され、河川への地下水の流入（浸み出し）が遮断されている所があり、河川に地下水を導き入れられない状況も存在していた。そのため、護岸部に暗渠排水管を取り付けて、護岸背面の地下水を河川に導入するための工法について検討する必要が出てきている。
【０００３】
そこで、山裾または山の傾斜地等における地すべりを防止するための暗渠排水の技術を転用することが考えられるところ、この種の従来は、側壁に無数の吸水孔を穿設すると共に外周面を透水シート材を用いて層状に包囲してなる暗渠用有孔パイプに対し、推進用外郭パイプを抜き取り自在に嵌合するように構成したパイプ暗渠が存在していた（特許文献１）。この技術は、山裾または山の傾斜地等の所要個所に対して、周壁部に吸水孔を穿設してなる有孔パイプを単独で推進埋設するものであったが、このような有孔パイプを単独で地中に推進埋設するものであると、その吸水孔が土砂により詰まり易く、長期的に吸水効果を期待することはできないという課題を解決するために発明されたものであった。
【０００４】
また、他の技術としては、多数の水抜き孔を周設し、先端を円錐状に閉塞したパイプ本体と、このパイプ本体の先端から所要長さに渡って所定の配設ピッチで外周に周設する所要径、所要幅のスポンジの抵抗体とからなる集水パイプがあった。この技術は、インナーロッドと呼ばれる部材をケーシングパイプ内に挿入して、地中の一定位置までボーリングした後、インナーロッドを抜き取り、先端が円錐状に閉塞した集水パイプをケーシング内に挿入して、挿入完了後にケーシングパイプを抜くというものである（特許文献２）。
【０００５】
さらに、多数の水抜き孔を周設し、先端を開口して地山の所定深度より先方に横設された短尺の定着用パイプと、所要長さの長尺なパイプ本体の外周に多数の水抜き孔を周設し、閉塞した先端に突設したアンカー体をこの定着用パイプの内部に充填された土砂に打ち込んで成る集水パイプとからなる集水構造の技術があった（特許文献３）。
【０００６】
その他の技術としては、回転中空ロッドの外周に回転ケーシングを配置し、この中空ロッドの先端部にロッド切り離し装置を介して切削ビットを設け、回転中空ロッドの摺動によって回転ケーシングの先端を上記切削ビットで開閉自在となし、この先端を閉鎖又は開放した状態で地盤内推進し、推進終了後上記切り離し装置によって上記中空ロッドを切削ビットから切り離してこれを上記ケーシング外に離脱した後、このケーシング内に排水ドレンパイプを挿入し、その後上記ケーシングを上記地盤外に牽引離脱して上記ドレンパイプを地盤に埋設する方法の技術があった（特許文献４）。
【特許文献１】特開平７−８２７５１号公報（２頁、図２・図３）
【特許文献２】特開平１０−３７１７４号公報（２頁、図２）
【特許文献３】特開平１０−３７１７５号公報（２頁、図１）
【特許文献４】特開平１１−２５６５５７号公報（２頁、図１）
【発明の開示】
【発明が解決しようとする課題】
【０００７】
しかしながら、特許文献１においては、推進用外郭パイプの先端に円錐状の推進用カバー体を装着しているが、この推進用カバー体は、推進用外郭パイプの先端が侵入できるように構成することにより、着脱自在に装着するものであって、回転駆動を必要とする推進埋設の工法においては、推進埋設装置からの駆動力が推進用カバー体に直接伝わり難いという問題があった。
【０００８】
また、特許文献２および特許文献３においては、地中の所定位置に集水パイプを埋設させるために、インナーロッドが挿入されたケーシングパイプを挿入しながらボーリングする工程、インナーロッドを抜き取る工程、ケーシングパイプ内に集水パイプを挿入するという工程の三つの工程となり、推進埋設させると同時に集水パイプを埋設させることは出来ないものであった。
【０００９】
さらに、特許文献４においては、切削ビットが連結された中空ロッドの外周にケーシングが配置され、この中空ロッドを回転させながら地中を推進し、推進終了後に中空ロッドを引抜いて、排水ドレンパイプを挿入するものであるため、上記と同様に、推進埋設させると同時に排水ドレンパイプを埋設させることは出来ないものであった。また、推進埋設後に地中に残される部品点数も多いものとなっていた。
【００１０】
本発明は、上記諸点にかんがみてなされたものであって、その目的とするところは、導水管の埋設工程において、推進埋設させると同時に導水管も挿入することを可能とし、かつ、簡易な構造により推進工程における駆動伝達を可能にする導水管推進先導体を提供すること、および、この導水管推進先導体による暗渠排水管の埋設工法を提供することである。
【課題を解決するための手段】
【００１１】
そこで、導水管推進先導体に係る本発明は、導水管を地中に埋設させるために使用される導水管推進先導体であって、上記導水管の先端に接続される先導体本体部と、この先導体本体部の後部端縁を切り欠いて構成された切欠部とを備え、上記切欠部は、少なくとも二つの端縁を有し、一方端縁を駆動伝達部とし、他方端縁を駆動解放案内部とする切欠部であることを特徴とする導水管推進先導体を要旨とする。上記構成によれば、推進埋設装置からの駆動力を先導体の切欠部端縁に伝達または解放させることができる。
【００１２】
また、本発明は、導水管を地中に埋設させるために該導水管の先端に設けられ、かつ、推進駆動および回転駆動の伝達を受けて推進する導水管推進先導体であって、上記導水管の先端の挿入を許容しつつ該導水管に接続される有底円筒状の先導体本体部と、この先導体本体部の後部端縁を複数に区分するとともに該各区分の端縁をそれぞれ切り欠いて構成された複数の切欠部とを備え、上記複数の切欠部は、二つの端縁を有し、かつ、それぞれが合同な略Ｖ字形に切り欠かれた切欠部であり、それぞれの切欠部の所定側端縁が推進駆動および回転駆動の伝達を受ける駆動伝達部であり、残りの端縁が推進駆動の伝達を受ける推進駆動伝達部であるとともに、この推進駆動伝達部は、上記回転駆動伝達部に伝達される回転駆動を解放する駆動解放案内部であることを特徴とする導水管推進先導体をも要旨とする。上記構成によれば、略Ｖ字形の切欠部における一の端縁を、駆動伝達部とすることで、推進埋設装置からの推進駆動および回転駆動の伝達を受けることができる。また、他の端縁を推進駆動伝達部とすることで、推進埋設装置からの推進駆動の伝達を受けることができる。この場合に、推進埋設させるための回転駆動を逆回転としたときには、上記推進駆動伝達部は、回転駆動を解放する駆動解放案内部とすることができる。
【００１３】
このとき、上記発明において、先導体本体部の後部端縁は、四つに区分されるとともにこの各区分の端縁をそれぞれ切り欠いて構成された四つの切欠部とすることもできる。
【００１４】
さらに、本発明は、導水管を地中に埋設させるために該導水管の先端に設けられ、かつ、推進駆動および回転駆動の伝達を受けて推進する導水管推進先導体であって、上記導水管の先端の挿入を許容しつつ該導水管に接続される有底円筒状の先導体本体部と、この先導体本体部の後部端縁を複数に区分するとともに該各区分の端縁をそれぞれ切り欠いて構成された複数の切欠部とを備え、上記複数の切欠部は、二つの端縁を有し、かつ、それぞれが合同な略Ｖ字形に切り欠かれた切欠部であり、それぞれの切欠部の所定側端縁が回転駆動の伝達を受ける回転駆動伝達部であり、残りの端縁が推進駆動の伝達を受ける推進駆動伝達部であるとともに、この推進駆動伝達部は、上記回転駆動伝達部に伝達される回転駆動を解放する駆動解放案内部であることを特徴とする導水管推進先導体をも要旨とする。上記構成によれば、略Ｖ字形の切欠部における一の端縁を、回転駆動伝達部とすることで、推進埋設装置からの回転駆動の伝達を受けることができる。また、他の端縁を推進駆動伝達部とすることで、推進埋設装置からの推進駆動の伝達を受けることができる。この場合に、推進埋設させるための回転駆動を逆回転としたときには、上記推進駆動伝達部は、回転駆動を解放する駆動解放案内部とすることができる。
【００１５】
このとき、上記発明において、先導体本体部の後部端縁は、四つに区分されるとともにこの各区分の端縁をそれぞれ切り欠いて構成された四つの切欠部とすることもできる。
【００１６】
上記各発明において、駆動伝達部または回転駆動伝達部は、先導体の軸心に対して平行方向に端縁を有する構成とすることもできる。上記構成によれば、推進埋設装置からの回転駆動力を駆動伝達部または回転駆動伝達部に直接伝達させることができる。また、駆動解放案内部は、上記駆動伝達部または回転駆動伝達部に対して鋭角方向に端縁を有する駆動解放案内部とすることもできる。
【００１７】
他方、暗渠排水管埋設工法に係る本発明は、前記記載の導水管推進先導体を使用する暗渠排水管埋設工法であって、前記導水管を包囲しつつ配置でき、かつ、先端に前記導水管推進先導体の切欠部に係合可能な突起部を備えた外管を、回転駆動力および推進駆動力を発生させる推進埋設装置の駆動部に装着し、多数の水抜き孔を穿設してなる導水管の先端に導水管推進先導体を接続し、この導水管を上記外管の内部に挿入するとともに、上記導水管推進先導体の切欠部を上記外管先端の突起部に係合させ、上記外管を回転させつつ推進させて該外管および導水管を地中に推進し、所定長の推進終了後に外管を後方に引き抜くことにより、上記導水管推進先導体および導水管のみを地中に埋設してなることを特徴とする暗渠排水管埋設工法を要旨とする。上記構成によれば、水抜き孔が穿設されている導水管を外管で包囲することにより、地中を推進埋設している際にも、導水管の側面全体が土で埋まることがないため、穿設された水抜き孔の目詰まりを防止することができる。
【００１８】
さらに、本発明は、前記記載の導水管推進先導体を使用する暗渠排水管埋設工法であって、前記導水管を包囲しつつ配置でき、かつ、先端に前記導水管推進先導体の切欠部に係合可能な突起部を備えた外管を、回転駆動力および推進駆動力を発生させる推進埋設装置の駆動部に装着し、多数の水抜き孔を穿設してなる導水管の先端に導水管推進先導体を螺着または固着するとともに、導水管のほぼ全域に合成樹脂製のフィルタ材を封入し、上記導水管を上記外管の内部に挿入するとともに、上記導水管推進先導体の切欠部を上記外管先端の突起部に係合させ、上記外管を回転させつつ推進させて該外管および導水管を地中に推進し、所定長の推進終了後に外管を後方に引き抜くことにより、上記導水管推進先導体および導水管のみを地中に埋設し、導水管の後端開口部に開閉蓋を装着してなることを特徴とする暗渠排水管埋設工法を要旨とする。上記構成によれば、導水管の後端開口部に開閉蓋を装着することで、地中の地下水を河川に排水させることができ、同時に河川の水が導水管内に逆流することを防止することができる。
【００１９】
上記各発明において、導水管推進先導体と導水管の先端との接続は、螺着または固着とすることもできる。
【発明の効果】
【００２０】
導水管推進先導体に係る本発明によれば、導水管推進先導体に外管を係合させて、この外管の内部に先導体と接続させた導水管を挿入することで、地中において外管と導水管を同時に推進させることが可能となる。そして、外管を引き抜くことで、導水管を地中に埋設させることが可能となる。また、簡易な構造により、駆動力の伝達を十分にすることができるものである。なお、構造が簡易であることから、部品点数を削減しコストの低減をも可能にすることができる。
【００２１】
暗渠排水管埋設工法に係る本発明によれば、河川周辺の硬質地盤においても暗渠排水管を埋設することができる。すなわち、山裾等の軟弱地盤における圧入式の推進方法とは異なり、回転駆動を付加することにより実現できるものである。
【発明を実施するための最良の形態】
【００２２】
以下、本発明の実施の形態を図面に基づいて説明する。第一の実施形態は、導水管を地中に埋設させるために使用される先導体に関するものである。
【００２３】
本実施形態の先導体１は、図１に示すように、外管３と共に推進埋設装置５に取り付けられて地中に回転圧入されるものである。推進埋設装置５による駆動力は外管３を介して先導体１に伝達され、この先導体１を推進させることにより、最終的に先導体１および導水管２を地中に埋設させるものである。
【００２４】
先導体１は、本体部１１と切欠部１２とで構成され、図２（ａ）に示すように、先端形状は円錐台形をしており、側面形状は有底の円筒形に形成されている（これが本体部分である）。このように先端形状を円錐台形に形成させているのは、地中での進行方向における土圧抵抗を軽減して推進させるために採用されているものである。先導体本体部１１の後部端縁は、四つに区分されており、各区分の端縁は略Ｖ字形に切り欠いて構成された切欠部１２が形成されている。切欠部１２には、回転駆動伝達部１２１と推進駆動伝達部１２２が設けられており、回転駆動伝達部１２１は、基部１２３から後部端縁に向けて形成され、先導体１の軸心に対して平行方向に端縁を有するように設けられている。一方、推進駆動伝達部１２２は、基部１２３から後部端縁に向けて形成されているが、回転駆動伝達部１２１に対して鋭角方向に端縁を有するように設けられている。各区分の切欠部１２は、推進埋設装置５からの回転駆動力および推進駆動力を先導体１に均等に伝達させるために、各区分は合同に構成されている。すなわち、各区分は相互に同じ大きさ、同じ形状で構成されているのである。
【００２５】
ここで、先導体本体部１１について詳述すると、図２（ｂ）に示すように、この先導体本体部１１は、先端部材１１１、駆動伝達部材１１２、円筒連結部材１１３で構成され、円筒連結部材１１３の先頭内部に先端部材１１１の一部を収納し、さらに、駆動伝達部材１１２の中空内部に円筒連結部材１１３を収納した状態で溶接して一体的に設けられている。このとき、各部材の先端に生ずる段差部分を溶接することで、溶剤部分Ｂと共に先導体先端を円錐台形に形成しているのである（図２（ｃ）参照）。
【００２６】
上記先導体１の後部内面には、雌ねじが螺刻されており、導水管２の先端に螺刻された雄ねじと螺合されることにより、先導体１と導水管２を連結させることができる。
【００２７】
この導水管２は、地中から管内に流入した地下水を河川に排水させるためのものであって、図３（ａ）に示すように、先端には先導体１が螺着されており、全体が円筒状に構成され、その側面全体には、地下水を流入させるための水抜き孔２１が穿設されている。導水管２の後端内面には、雌ねじが螺刻されており、他の導水管２の先端側面に螺刻された雄ねじと螺合されることにより、導水管２同士を連結させることができる。これにより、導水管２同士を連続させて継ぎ足すことができるため、地中の所定位置まで導水管２を伸長させることが可能となる。
【００２８】
外管３は、導水管２を包囲しつつ配置されるもので、図３（ｂ）に示すように、先導体１の切欠部１２に係合可能な突起部３１を備えている。この外管３は、推進方向の先頭に位置し、先導体１と係合されて使用されるものである。外管３の先端には山形の突起部３１が設けられ、この突起部３１の端縁には、回転用当接部３１１および推進用当接部３１２が形成されている。このとき、回転駆動伝達部１２１と回転用当接部３１１、および推進駆動伝達部１２２と推進用当接部３１２が互いに係合されることにより、先導体１と外管３を一時的に固定させることができる（図４（ａ）参照）。外管３の後端内面には、雌ねじが螺刻されており（図３（ｂ）参照）、外管４の先端側面に螺刻された雄ねじ（図３（ｃ）参照）と螺合されることにより、外管３と外管４を連結させることができるため、地中の所定位置まで外管を継ぎ足すことが可能となる。
【００２９】
本実施形態は、上記のような構成であるから、先導体１を一時的に固定し得る外管３が、推進埋設装置５に装着されることにより、推進埋設装置５から得られる回転駆動力および推進駆動力を先導体１に伝達させることができるのである（図４（ａ）参照）。そして、これらの駆動力が、外管３を介して先導体１に伝達されることによって、地中に回転圧入させることが可能となる。
【００３０】
次に、本実施形態の使用態様を説明しつつ、暗渠排水管埋設工法に係る第一の実施形態を同時に説明する。上述のとおり、外管３を推進埋設装置５に装着することにより、この外管３と、これに連結する先導体１と、この先導体１に後続する導水管２とが、全体として回転圧入できる。ここで、上記各部材は一定の長さに調整されており（図３参照）、この長さ寸法は、推進埋設装置５による推進ストロークに合わせられている。具体的には、先導体１の切欠部１２と外管３の突起部３１を係合させた状態で、先導体１の先端から導水管２および外管３の後端までの距離が、推進埋設装置５のストロークと一致させているのである。
【００３１】
そして、一定の距離（推進埋設装置のストローク相当分）を地中に推進埋設させたところで、新たな導水管２および新たな外管４を連結させながら継ぎ足して、回転圧入させることで地中を推進埋設させていくのである。これにより、地中において推進工程と埋設工程を同時に進行させることができる。
【００３２】
所望の距離を推進埋設した後は、引き続き推進埋設装置５を使用して、外管３（外管４）を地中から牽引して抜き取る工程を行う（図４（ｂ）参照）。この場合、外管３が連結された外管４を推進埋設時の回転とは逆に回転させた後、水平方向に牽引することで、先導体１と外管３の一時的な固定を解除させることができるのである。すなわち、外管３が連結された外管４を逆回転させた後、水平方向に牽引することで、回転駆動伝達部１２１と回転用当接部３１１の係合部分が離隔される方向に移動することとなるのである。この場合、推進駆動伝達部１２２は、回転駆動力を解放する部分、すなわち、駆動解放案内部に変換することとなる。他方、推進用当接部３１２は、駆動解放当接部に変換することとなるのである。
【００３３】
このように、外管３が連結された外管４を逆回転に駆動させることにより、駆動解放当接部３１２から伝達された駆動力を、駆動解放案内部１２２に伝達させることができる。この逆回転の駆動力により、先導体１と外管３とが離隔する際の土圧抵抗を軽減させることができるため、外管３（外管４）を地中から除却させることが容易となるのである。なお、上記外管４の逆回転は、上述のように推進埋設装置５から駆動力の伝達を受けても良いが、駆動力の伝達を受けずに回転自在な状態で牽引させることで、外管４を自然に回転させることも可能である。
【００３４】
地中から外管３（外管４）を除却した後は、先導体１が螺着された導水管２のみが地中に埋設されることとなる（図４（ｃ）参照）。この先導体本体１１の外径は、導水管２の外径よりも広径となっており、両部材の外径の差で構成される先導体１の端面は、導水管２の軸心に対して垂直に位置することになる。そのため、地中では抵抗体（アンカー）の役割を果たし、容易に引抜くことはできない構造になっている。
【００３５】
このように、地中に先導体１と導水管２を残置させる暗渠排水管は、護岸背面に貯留している地下水を河川に排水させるために用いることができる。すなわち、河川側から護岸背面に向かって先導体１と導水管２を推進させることによって設置されることにより、暗渠排水管を設けるものである。従って、この推進埋設装置５は、事前に両護岸の間に足場を仮設して足場上に設置する方法が採られる。
【００３６】
先導体１が一時固定された外管３は、推進埋設装置５に装着されて、護岸の法面部分を起点として、地中の水平方向に向けて回転圧入により推進埋設され、その後、外管３（外管４）を地中から引き抜いて、先導体１が螺着された導水管２を地中に残存させることで、この導水管２の水抜き孔２１から地中の地下水を流入させて、河川に排水させるものである。なお、導水管２の河川側開口端には、河川の水の逆流等を防止するため、後述の開閉蓋７を設置する場合があり得る。また、推進埋設装置５は、小型の装置でありながら、一回のシリンダ操作によって所望のストロークを得ることが出来る点で利用できる。
【００３７】
推進埋設装置５は、スライド部５１および推進部５２を備え、推進部５２の前面に回転軸と外管３（外管４）を装着できる支持部５３が設けられている。そして、スライド部５１には第一の油圧シリンダ５４，５５が、推進部５２には第二の油圧シリンダ５６，５７が取り付けられ、基台５９上を所定方向に進退できる構造になっている。
【００３８】
そこで、推進埋設装置５の作動態様について説明する。図５は、スライド部５１および推進部５２の進退の概略を示す図である。そして、図５（ａ）に示すように、スライド部５１および推進部５２は、装置の後方（図中右側）に移動させておき、推進部５２の全面に設けられる支持部５３に外管３が設置される（図６参照）。このとき、第一の油圧シリンダ５４，５５および第二の油圧シリンダ５６，５７は、いずれも収縮した状態となっている（図５（ａ）参照）。
【００３９】
工程に応じて選択される外管３（外管４）などを装着したうえで、必要であれば油圧モーター５８を作動させつつ、第一の油圧シリンダ５４，５５を伸張させると、スライド部５１が基台５９の基台レール５９１，５９２に沿って前進することとなる。このスライド部５１の前進により、スライド部５１とともに推進部５２も前進することとなり、装着した上記先導体１などの先端から地中に推進されることとなる（図５（ｂ）参照）。そして、上記第一の油圧シリンダ５４，５５が最も長くなる状態まで伸張すると、この油圧シリンダ５４，５５による前進が停止する。
【００４０】
引き続き、第二の油圧シリンダ５６，５７を伸張させることにより、推進部５２のみが、スライド部５１を基準としてさらに前進することとなる（図５（ｃ）参照）。第二の油圧シリンダ５６，５７が最も長くなる状態まで移動することにより、当該第二の油圧シリンダ５６，５７による推進部５２の移動が停止し、推進工程が終了することとなる。このとき、推進部５２が移動する全体の距離は、所望のストロークに一致させている。すなわち、第一の油圧シリンダ５４，５５によりスライド部５１を全ストローク中の約３分の２に相当する距離を移動させ、これにより基台５９に相対的に推進部５２を同じ距離だけ推進させる。さらに、残りの約３分の１に相当する距離を第二の油圧シリンダ５６，５７によって推進部５２のみを移動させるのである。
【００４１】
次に、推進部５２の支持部５３から外管３（外管４）などを切り離し、推進部５２を後退させる。このとき、第二の油圧シリンダ５６，５７を収縮させて推進部５２をスライド部５１まで後退させ、さらに、第一の油圧シリンダ５４，５５を収縮させてスライド部５１とともに推進部５２を基台５９の後端付近まで後退させるのである。
【００４２】
その後、次に推進させるべき導水管２、外管４などを支持させて上記推進および後退を繰り返し、所定位置まで順次推進させるのである。先導体１に螺着された導水管２に後続する継ぎ足し管は、先頭の導水管２と同形状であり、発信開口部から到達所定位置までの長区間を一本の細管で連続させるのである。この先導体１および導水管２が所定位置に到達した後は、外管３（外管４）のみが引き抜かれて回収され、地中に残存された先導体１および導水管２によって配管が完了するのである。上記外管３の引抜き作業も、本実施形態の推進埋設装置５が使用される。その使用方法は、上記推進時の逆の工程で行われる。
【００４３】
本実施形態で使用する推進埋設装置５は、上記のように、第一の油圧シリンダ５４，５５および第二の油圧シリンダ５６，５７を二段階で進退する方法を採用している。このような方法により進退させる理由は、一回のシリンダ操作によって所望のストロークを可能にするためである。すなわち、第一の油圧シリンダ５４，５５および第二の油圧シリンダ５６，５７の双方を収縮させた状態において、推進部５２を基台５９の後部付近に配置させることができること、および、第一の油圧シリンダ５４，５５により移動させた後（または同時）に、推進部５２をスライド部５１の先方、すなわち基台５９の先端付近まで移動できることによるものである。これは、例えば、単一の油圧シリンダ５４，５５のみで全ストロークを移動させる場合には、当該油圧シリンダ５４，５５が伸張できる範囲内に限り推進部５２を移動させることが可能となるが、油圧シリンダ５４，５５と推進部５２の位置関係のみで推進部５２の移動範囲が決定することとなり、基台５９の後端付近から先端付近までの範囲を移動させることができないのである。換言すると、単一の油圧シリンダ５４，５５のストロークを所望の長さにするとすれば、基台５９をそれだけ大型に設ける必要があり、これに伴って設置場所を大きく設けることが必要となるものである。
【００４４】
次に、暗渠排水管埋設工法に係る第二の実施形態について説明する。本実施形態は、導水管２内部にフィルター６を挿入する構成である。すなわち、地中に残された導水管２の側面全体には、千鳥状に水抜き孔２１が穿設されており、この水抜き孔２１から地下水を流入させることができる。このとき、水抜き孔２１には地下水の流入と同時に地中の土砂も流入してくるため、これらの土砂により導水管２の内部が目詰まりする可能性が高いと考えられる。そこで、図４（ｄ）に示すように、この導水管２内部に合成樹脂製の繊維等で形成された略円筒形のフィルター６を挿入することで、フィルター６の外面と導水管２の内面を当接させることができるため、水抜き孔２１からの土砂の流入を防ぐことができるのである。本実施形態では、導水管２の内部に予め円筒フィルター６を挿入しておくものである。従って、上述の第一の実施形態のように導水管２が地中に埋設されるときには、その導水管２の全域に円筒状フィルター６が封入されることとなるのである。
【００４５】
なお、このフィルター６は、円筒形の立体的な網状を構成しており、中心軸方向は中空に形成されているので、水を通過させることが可能となっている。また、フィルター６の外周面にフィルター６の網目より細かい網目の薄厚の透水シートを巻く構成とすることも可能であり、この場合には、導水管２内部への土砂の流入をさらに防止させることもできる。
【００４６】
続いて、開閉蓋７について説明する。この開閉蓋７は、導水管２内部に流入した水を排水させるためのものである。地中に貯留されている地下水は、導水管２の水抜き孔２１から管内に流入して河川に排水されるようになっている。このとき、導水管２の配設される位置が低い場合には、河川の水が導水管２内部に逆流することが考えられるため、導水管２の配設される位置は、河川の通常水位よりも上方とされる。しかし、河川の水位が異常に上昇することにより、河川の水が導水管２内部に逆流することも想定される。そのため、河川の水を逆流させないような構造の開閉蓋７を導水管２の開口部に取り付ける必要がある。
【００４７】
図７に示すように、開閉蓋７は、蓋部材７１、支持軸７２、補強板７３、軸受７４，７５および連結部材７８とから構成されており、蓋部材７１には軸受７５が固着され、補強板７３には軸受７４が固着されている。この開閉蓋７は、軸受７４と軸受７５を同一軸線上に配置させて、これらの軸受７４，７５に支持軸７２を同一軸線上に位置するように挿通させることにより補強板７３上に軸支されるのである。補強板７３には、貫通孔７６が設けられており、護岸に立設されている矢板７７に固着される。このとき、開閉蓋７が軸支されている補強板７３と導水管２とを連結させるために連結部材７８が使用される。連結部材７８は、側面が円筒状に構成されており、周端縁の片側は、円筒の軸心に対して垂直方向に位置するように鍔状の突片７９が構成されている。そして、この鍔状の突片７９の平面部分が補強板７３と固着され、連結部材７８の内面に導水管２が挿入されることにより、補強板７３の貫通孔７６と導水管２の内部を連通させることができるのである。
【００４８】
この開閉蓋７は、導水管２の水を河川に排水させることができると同時に河川の水を導水管２に逆流させないような構造となっている。詳細には、導水管２の内部に水がない状態のときは、導水管２から連通している貫通孔７６を閉口させるべく、蓋部材７１は補強板７３の端面を付勢しており、導水管２の内部に一定量の水が貯留されて、内部の水圧の力が貫通孔７６への付勢力を上回った時に、蓋部材７１が開口されて貯留した水が河川に排水される。
【００４９】
開閉蓋７の付勢力は、蓋部材７１の重心を偏心させることにより得ることができる。すなわち、この蓋部材７１の重心を偏心させることにより、支持軸７２に軸支されている開閉蓋７を補強板７３の端面方向に回動させることができるため、補強板７３の端面を一定の圧力で付勢することが可能となるのである。このような構造とすることで、河川の水位上昇により、開閉蓋７の外側に水圧が加わっても、この水圧と付勢力により開閉蓋７が開口することはない。一方、河川の水位が低い場合であっても、蓋部材７１が補強板７３の端面を一定の圧力で付勢することで、河川の水が導水管２の内部に逆流することはないのである。以上より、導水管２内部の水は、一方方向にしか流れないので、地中の地下水を逆流させることなく、河川に排水させることができるのである。
【００５０】
本実施形態は上記のとおりであるが、本発明の趣旨を逸脱しない範囲において種々の態様をとることができる。例えば、本実施形態において、先導体本体部１１の後部端縁は四つに区分した切欠部１２について説明しているが、切欠部１２を複数形成させる構造とすることもできる。この場合も、複数形成された各切欠部は、推進埋設装置からの駆動力の伝達を均等に受けることが可能となる。切欠部１２の形状においても、略Ｖ字形のみならず、例えば凹凸形状や波形状のような係合させることのできる形状であれば、推進埋設装置５からの駆動力の伝達を受けることができる。
【００５１】
また、先導体１と導水管２の接続について、本実施形態では螺着させる場合を説明しているが、これに限定されるものではなく、固着、嵌着または溶着した場合であっても、両部材は接続可能である。
【図面の簡単な説明】
【００５２】
【図１】本発明である先導体の実施形態を示す全体図である。
【図２】（ａ）は本発明である先導体を示す斜視図であり、（ｂ）は先導体を構成する部品図であり、（ｃ）は部品の組付図である。
【図３】（ａ）は本発明の実施形態を示す側面図であり、（ｂ）および（ｃ）は外管を示す側面図である。
【図４】本発明である先導体の使用形態を示す説明図である。
【図５】推進埋設装置の作動態様を示す説明図である。
【図６】推進埋設装置を示す説明図である。
【図７】本発明である暗渠排水管埋設工法の実施形態を示す説明図である。
【符号の説明】
【００５３】
１  先導体
２  導水管
３，４  外管
５  推進埋設装置
６  フィルター
７  開閉蓋
１１  先導体本体部
１２  切欠部
２１  水抜き孔
３１  突起部
５１  スライド部
５２  推進部
５３  支持部
５４，５５  第一の油圧シリンダ
５６，５７  第二の油圧シリンダ
５８  油圧モーター
５９  基台
７１  蓋部材
７２  支持軸
７３  補強板
７４，７５  軸受
７６  貫通孔
７７  矢板
７８  連結部材
７９  突片
１１１  先端部材
１１２  駆動伝達部材
１１３  円筒連結部材
１２１  回転駆動伝達部
１２２  推進駆動伝達部（駆動解放案内部）
１２３  基部
３１１  回転用当接部
３１２  推進用当接部（駆動解放当接部）
５９１，５９２  基台レール
Ｂ  溶剤
【図１】
2010053518.tif 000003
【図２】
2010053518.tif 000004
【図３】
2010053518.tif 000005
【図４】
2010053518.tif 000006
【図５】
2010053518.tif 000007
【図６】
2010053518.tif 000008
【図７】
2010053518.tif 000009